(57)【要約】【課題】  ガスバリア性が良好であり、吸湿性の無い信頼性の高い発光部品を提供すること。【解決手段】  無機材料からなる内側に傾斜面を有する反射部材と、発光素子と接続される前記反射部材を貫通する貫通電極と、前記発光素子を覆うモールド部と、前記発光素子を前記反射部材とで封止するガラス板と、を備える発光部品を提供する。【選択図】  図１
2011192845.tif 000002
【特許請求の範囲】
【請求項１】
開口端から底面に向かって狭まる傾斜面を有する凹部を内側に形成された無機材料からなる反射部材と、
前記凹部の底面に設置された発光素子と、
前記発光素子と電気的に接続され、前記反射部材の前記凹部の底面から前記底面と反対の面まで貫通する２つの貫通電極と、
前記発光素子を覆うモールド部と、
前記反射部材の前記凹部の開口端側の面に接合されたガラス板と、
を備えることを特徴とする発光部品。
【請求項２】
前記２つの貫通電極は、それぞれ異なる外部電極に電気的に接続され、
前記発光素子は、前記２つの貫通電極とバンプを介して接合することを特徴とする請求項１に記載の発光部品。
【請求項３】
前記２つの貫通電極は、それぞれ異なる外部電極に電気的に接続され、
前記発光素子は、一方の前記貫通電極と接合するとともに、ワイヤボンドと接続し、
前記ワイヤボンドは、他方の前記貫通電極と接続することを特徴とする請求項１に記載の発光部品。
【請求項４】
前記発光部品は前記一方の貫通電極とダイボンド剤を介して接合することを特徴とする請求項３に記載の発光部品。
【請求項５】
第１の金属基板と、
前記第１の金属基板と同一平面上に形成された第２の金属基板と、
前記第１の金属基板と前記第２の金属基板とを電気的に絶縁する絶縁部材と、
開口端から前記第１の金属基板及び前記第２の金属基板側に向かって狭まる傾斜面を有する貫通孔を内側に備える無機材料からなる反射部材と、
前記第１の金属基板に搭載された発光素子と、
前記発光素子と接続するとともに、前記第２の金属基板に接続するワイヤボンドと、
前記発光素子を覆うモールド部と、
前記反射部材の前記貫通孔の開口端側の面に接合されたガラス板と、
を備えることを特徴とする発光部品。
【請求項６】
前記発光部品は前記第１の金属基板とダイボンド剤を介して接合することを特徴とする請求項５に記載の発光部品。
【請求項７】
前記反射部材はセラミック、ガラスのいずれかであることを特徴とする請求項１から６のいずれか一項に記載の発光部品。
【請求項８】
前記反射部材はガラスであり、前記絶縁部材が前記反射部材と同一材料であることを特徴とする請求項５または請求項６に記載の発光部品。
【請求項９】
前記絶縁部材は、前記第１の金属基板と前記第２の金属基板の間に形成され、前記発光素子側の面がコールドミラー膜、銀膜、アルミニウム膜の少なくともいずれか１つで形成されることを特徴とする請求項８に記載の発光部品。
【請求項１０】
前記ガラス板と前記反射部材との接合は、金属膜を溶融させる接合、低融点ガラスを用いる溶融接合、陽極接合、ガラス板の溶融による接合、金属ナノ粒子を焼成する接合、ゾルゲル法を応用した接合のいずれかの接合であることを特徴とする請求項７から９のいずれか一項に記載の発光部品。
【請求項１１】
前記ガラス板と前記反射部材との接合が金属ナノ粒子を焼成する接合の場合、前記金属ナノ粒子は、銀、金錫合金、金、銅のいずれかであることを特徴とする請求項１０に記載の発光部品。
【請求項１２】
前記反射部材の前記傾斜面は、コールドミラー膜、銀膜、アルミニウム膜の少なくともいずれか１つで形成されることを特徴とする請求項１から１１のいずれか一項に記載の発光部品。
【請求項１３】
開口端から底面に向かって狭まる傾斜面を有する凹部を内側に形成され、前記凹部の前記底面から前記底面と反対の面まで貫通する２つの貫通電極を形成された無機材料からなる前記反射部材の前記凹部の前記底面に発光素子を搭載し、かつ前記発光素子を前記２つの貫通電極と電気的に接続する発光素子搭載工程と、
前記発光素子をモールド部で覆うモールド部形成工程と、
前記反射部材の前記凹部の開口端側の面にガラス板を接合するガラス板接合工程と、
を備えることを特徴とする発光部品の製造方法。
【請求項１４】
前記発光素子搭載工程の前に、前記反射部材の前記凹部の前記底面から前記底面と反対の面まで貫通する前記２つの貫通電極を形成する工程と、を備えることを特徴とする請求項１３に記載の発光部品の製造方法。
【請求項１５】
前記発光素子搭載工程において、前記発光素子は前記２つの貫通電極とバンプを介して接合され、前記２つの貫通電極はそれぞれ異なる外部電極と接続されることを特徴とする請求項１３または請求項１４に記載の発光部品の製造方法。
【請求項１６】
前記発光素子搭載工程において、前記発光素子は一方の前記貫通電極と接合するとともに、ワイヤボンドにより他方の前記貫通電極と電気的に接続し、前記２つの貫通電極はそれぞれ異なる外部電極と接続を特徴とする請求項１３または請求項１４に記載の発光部品の製造方法。
【請求項１７】
前記発光部品搭載工程において、前記発光素子は前記一方の貫通電極とダイボンド剤を介して接合することを特徴とする請求項１６に記載の発光部品の製造方法。
【請求項１８】
前記発光素子搭載工程の前に、前記反射部材の前記凹部の前記底面と反対の面に２つの前記外部電極を形成し、前記２つの貫通電極をそれぞれ異なる前記外部電極と接続することを特徴とする請求項１５から１７のいずれか一項に記載の発光部品の製造方法。
【請求項１９】
開口端側が広い傾斜面を有する貫通孔を内側に形成された無機材料からなる反射部材が設置された第１の金属基板上に発光素子を搭載し、かつ前記第１の金属基板と同一平面に形成されるとともに前記第１の金属基板と絶縁部材により電気的に絶縁され、前記反射部材が設置された第２の金属基板と前記発光素子とをワイヤボンドにより電気的に接続する発光素子搭載工程と、
前記発光素子をモールド部で覆うモールド部形成工程と、
前記反射部材の前記貫通孔の開口端側の面にガラス板を接合するガラス板接合工程と、
を備えることを特徴とする発光部品の製造方法。
【請求項２０】
前記発光部品搭載工程において、前記発光素子は前記第１の金属基板とダイボンド剤を介して接合することを特徴とする請求項１９に記載の発光部品の製造方法。
【請求項２１】
前記反射部材はセラミック、ガラスのいずれかであることを特徴とする請求項１３から２０のいずれか一項に記載の発光部品の製造方法。
【請求項２２】
前記ガラス板接合工程は、金属膜を溶融させる接合、低融点ガラスを用いる溶融接合、陽極接合、ガラス板の溶融による接合、金属ナノ粒子を焼成する接合、ゾルゲル法を応用した接合のいずれかの接合であることを特徴とする請求項１３から２１のいずれか一項に記載の発光部品の製造方法。
【請求項２３】
前記ガラス板接合工程が金属ナノ粒子を焼成する接合の場合、前記金属ナノ粒子は、銀、金錫合金、金、銅のいずれかであることを特徴とする請求項２２に記載の発光部品の製造方法。
【請求項２４】
前記反射部材がガラスの場合であって、前記発光素子搭載工程の前に、前記第１の金属基板上および前記第２の金属基板上に前記反射部材を設置し、前記反射部材の内側に熱プレス成形によって開口端から底面に向かって狭まる傾斜面を有する貫通孔を形成することを特徴とする請求項２１から２３のいずれか一項に記載の発光部品の製造方法。
【請求項２５】
前記発光素子搭載工程の前において、前記絶縁部材は、前記熱プレス成形によって前記第１の金属基板と前記第２の金属基板との間に押し出された前記反射部材を構成する前記無機材料により形成されることを特徴とする請求項２４に記載の発光部品の製造方法。
【請求項２６】
請求項１から１２のいずれか一項に記載の発光部品を用いた発光器。
【発明の詳細な説明】
【技術分野】
【０００１】
本発明は、高輝度及び高出力のＬＥＤ（Ｌｉｇｈｔ  Ｅｍｉｔｔｉｎｇ  Ｄｉｏｄｅ）素子を光源として使用する発光部品に関するものであって、湿度やガスに対する保護により、ＬＥＤ素子の使用寿命を伸ばすことが出来るよう改善された発光部品、発光器及び発光部品の製造方法に関する。
【背景技術】
【０００２】
従来の表面実装型発光素子は発光素子が、リードフレームと、このリードフレーム上に形成された成形樹脂とで作られる凹部の底部に固着され、リード線は、ワイヤーボンデイングにより、リードフレームと接続されている。凹部には，透明樹脂が充填され、発光素子が封止されている。光反射面は、発光素子の光を反射させ、外部へ放射させるためのものである。
【０００３】
しかしながら、上記のような従来の表面実装型発光素子においては、発光素子の封止が、透明樹脂を凹部に充填することにより行われていた．このため、透明樹脂が予め吸湿してしまうとリフローはんだ付け時の熱により、パッケージにクラックが発生することがあった。
【０００４】
これらの欠点を解消するべく、表面実装型発光素子として、「発光ダイオード」などが提案されている。（特許文献１）
図７を用いて発光ダイオードについて説明する。図７に示すように、発光ダイオード素子が凹部を有するパッケージの該凹部の底部に実装され、封止されている表面実装型発光ダイオードにおいて、前記パッケージは導電パターン３００を有するＭＩＤ（Ｍｏｌｄｅｄ  Ｉｎｔｅｒｃｏｎｎｅｃｔ  Ｄｅｖｉｃｅｓ）基板２００からなり、前記凹部は開口部に透明封止板７００と内壁部に光反射面を備え、かつ前記凹部内の光の媒質が空気であると共に、前記凹部に前記発光ダイオード素子５００をフリップチップ実装し、更に発光ダイオード素子５００は、バンプ面を含む少なくとも一面以上が、アンダーフィル樹脂６００により覆うものを提供している。
【０００５】
この発明によるとアンダーフィル樹脂により、発光ダイオード素子のバンプ面を含む少なくとも一面以上を覆うことにより、耐湿度性や耐振動性、耐衝撃性等も向上させることができるというものである。
【先行技術文献】
【特許文献】
【０００６】
【特許文献１】特開２００３−１５８３０１号公報
【発明の概要】
【発明が解決しようとする課題】
【０００７】
しかしながら、上記発光ダイオードでは、凹部に樹脂を充填する表面実装型発光素子より信頼性が向上する可能性はあるものの、透明封止板とＭＩＤ基板の接着方法によっては、湿気から保護することは難しく、また、吸湿性や透湿性、透ガス性を有するＭＩＤ基板、アンダーフィル樹脂を用いている。そのため、パッケージ外から湿気がパッケージ内に到達し、ダイオード素子の電極を酸化させたり、樹脂の膨張により、チップに応力を加えさせたり、硫化ガスが透過する場合にはバンプを腐食させたりするため、耐環境性に課題がある。
【課題を解決するための手段】
【０００８】
上述した課題を解決するために、本発明は以下の手段を提供する。
無機材料からなる内側に傾斜面を有する反射部材と、発光素子と接続される前記反射部材を貫通する貫通電極と、前記発光素子を覆うモールド部と、前記発光素子を前記反射部材とで封止するガラス板と、外部電極を備える発光部品を提供する。
【０００９】
反射部材の材料は、ガラス、セラミックス等の無機材料であることを特徴とする。反射部材の傾斜面及び底面には、コールドミラー膜、銀膜、アルミニウム膜、白レジストと呼ばれる白色のインクの少なくともいずれか１つを形成してもよい。
【００１０】
貫通電極は熱伝導性の良い銅、銀、金、アルミニウムのいずれかであることを特徴とする。貫通電極と発光素子は、バンプにより接合されるか、ワイヤボンドを用いて接続する。バンプは金属ナノ粒子を焼成することにより形成されることを特徴とする。
【００１１】
ガラス板と反射部材は、必要に応じて形成した金属膜を溶融させる接合、低融点ガラスを用いた溶融接合、陽極接合、ガラス板の溶融による接合、金属ナノ粒子を焼成する接合、ゾルゲル法を応用した接着のいずれかの接合により発光素子を封止することを特徴とする。
【００１２】
このような手段をとることで、発光部品が環境にさらされる部分が、接続部を含めて、金属材料或いは無機材料にすることができるため、吸湿性、透湿性、透ガス性のない構造となり、耐環境性が格段に向上する信頼性の高い発光部品を提供することができる。
【発明の効果】
【００１３】
本発明によると、吸湿性、透湿性、透ガス性のないパッケージで発光素子を構造するため、耐環境性が格段に向上する信頼性の高い発光部品を提供することができる。
【図面の簡単な説明】
【００１４】
【図１】本発明の第１実施形態に係る発光部品の断面図である。
【図２】本発明の第１実施形態に係る発光部品の上面図である。
【図３】本発明の第２実施形態に係る発光部品の断面図である。
【図４】本発明の第２実施形態に係る発光部品の上面図である。
【図５】本発明の第３実施形態に係る発光部品の断面図である。
【図６】本発明の第３実施形態に係る発光部品の上面図である。
【図７】従来例の断面図を示す図である。
【発明を実施するための形態】
【００１５】
本発明の実施の形態を図に基づいて説明する。
（第１実施形態）
図１、図２は本発明の第１実施形態に係る発光部品を示す図である。図１は、発光部品の断面図である。
【００１６】
発光部品１は、開口端から底面に向かって狭まる傾斜面を有する凹部を内側に形成された無機材料からなる反射部材２０と、凹部の底面に設置された発光素子５０と、発光素子と電気的に接続され、反射部材の凹部の底面から底面と反対の面まで貫通する２つの貫通電極２１と、発光素子を覆うモールド部６０と、反射部材の凹部の開口端側の面に接合されたガラス板７０と、を備えている。また、２つの貫通電極２１は、発光素子５０とバンプ４０を介して接合している。また、反射部材の凹部の底面と反対の面には、２つの外部電極が形成され、それぞれ異なる貫通電極と接続している。
【００１７】
反射部材２０の材料としては、ガラス、セラミック等の無機材料を用いる。ガラスは、透明ガラス、白色不透明ガラス等を使用できる。無機材料素材の反射率よりも反射率を向上するために、傾斜面に銀膜、アルミニウム膜、コールドミラー膜、白レジスト、白インク等の反射膜を形成してもよい。
【００１８】
貫通電極２１は、熱伝導性の高い金属、例えば、金、銀、銅、アルミ、等の材料が適しているが、これらに限定されるものではない。例えば、反射部材２０の材質がガラスである場合には、熱膨張係数の追懐材料として、コバールや鉄−ニッケル合金を用いてもよい。
【００１９】
バンプ４０は一般的なハンダ、導電ペースト、金バンプ、スズバンプ等からなる。
外部電極３０は基板との実装性を改善するために形成する。外部電極３０は、焼成した導電ペーストや金属膜からなる。
【００２０】
モールド部７０の材料は、透明樹脂を用いることができ、例えば、エポキシ、アクリル、シリコーン、ポリシロキサン等の樹脂を使用することが可能である。また、上記樹脂に蛍光体等を混入してもよい。
【００２１】
ガラス板７０は透明であり、反射部材２０と接合・接着することにより、発光素子５０を封止されている。ガラス板７０と反射部材２０は、必要に応じて形成した金属膜を溶融させる接合、低融点ガラスを用いた溶融接合、陽極接合、ガラス板の溶融による接合、金属ナノ粒子を焼成する接合、ゾルゲル法を応用した接着のいずれかの接合によりなる。また、反射部材２０の材質がガラスで、熱膨張係数が違うときのガラス板７０の厚みは任意の厚みでよい。しかし、反射部材２０とガラス板７０の線膨張係数の異なる場合に、ガラス板７０の厚みを制御しないと、発光部品１を基板に実装する際のリフロー時の加熱により、ガラス板７０にクラックが入ることがある。一方、ガラス板７０の厚さを２５−１００μｍに制御すると、リフロー時の加熱等で破壊されなくなる。そのため、ガラス板７０の厚さは、好ましくは２５−１００μｍが適当である。
【００２２】
図２は、本発明の第１実施形態に係る発光部品の上面図である。なお、図２はガラス板を接合する前の状態を示す図である。図２中の点線で囲まれた部分は、モールド部６０が形成される部分である。また、図２において横線で示された部分は、反射部材２０の傾斜面を示している。
【００２３】
本発明により、発光部品が環境にさらされる部分が、ガラス板７０と反射部材２０との接合部を含めて、金属材料或いは無機材料にすることができるため、吸湿性、透湿性、透ガス性のない構造となり、耐環境性が格段に向上する信頼性の高い発光部品を提供することができる。
【００２４】
本発明の第１実施形態に係る発光部品の製造方法を以下に示す。
まず、反射部材２０の凹部の底面に発光素子５０を搭載し、かつ発光素子５０を２つの貫通電極２１と電気的に接続する発光素子搭載工程を行う。
【００２５】
反射部材２０は、開口端から底面に向かって狭まる傾斜面を有する凹部を内側に形成されたものを用いる。なお、反射部材２０がガラスを用いた場合、凹部を熱プレス成形によって形成してもよい。無機材料素材の反射率よりも反射率を向上するために、傾斜面に加え、底面の一部に銀膜、アルミニウム膜、コールドミラー膜、白レジスト、白インク等を形成してもよい。なお、その際、底面には、銀膜、アルミニウム膜等の金属膜の場合はショートしないように、コールドミラー膜、白レジスト、白インク等の絶縁膜の場合は実装に影響ないように形成する必要がある。
【００２６】
貫通電極２１は、発光素子５０の搭載前に銀ペーストや銅ペーストなどで形成することができる。また、貫通電極２１は、反射部材２０に２つの貫通孔を形成し、貫通孔の内部に焼成銀や焼成した導電ペースト等で形成することもできる。さらに、２つの貫通電極２０は、それぞれ異なる外部電極３０と接続している。外部電極３０は、反射部材２０の凹部の底面と反対の面に２つ形成されており、それぞれ正極と負極になっている。また、発光部品は、２つの貫通電極とバンプ４０を介して搭載する。
【００２７】
次に、発光素子５０をモールド部６０で覆うモールド部形成工程を行う。この工程により、発光素子５０はモールドされる。
【００２８】
その後、反射部材２０とガラス板７０とを接合するガラス板接合工程を行う。この工程において、ガラス板５０は、前記反射部材の前記凹部の開口端側の面に接合される。ガラス板７０と反射部材２０は、必要に応じて形成した金属膜を溶融させる接合、低融点ガラスを用いた溶融接合、陽極接合、ガラス板の溶融による接合、金属ナノ粒子を焼成する接合、ゾルゲル法を応用した接着のいずれかの接合によりなる。なお、ガラス板７０と反射部材２０との接合が金属ナノ粒子を焼成する接合の場合、金属ナノ粒子は、銀、金錫合金、金、銅のいずれかである。また、接合方法によっては、反射部材２０にセラミックスを用いた場合、ガラス板７０または反射部材２０の少なくともいずれか接合面に金属膜を形成しておくと、安定して接合ができる。
【００２９】
（第２実施形態）
図３は本発明の第２実施形態に係る発光部品の断面図である。図１と異なる点は、発光素子５０が一方の貫通電極と図示しないダイボンド剤で接合され、さらにワイヤボンド４１で他方の貫通電極２１と接続されていることである。このように構成することにより、本発明は図１のようなフリップチップタイプ以外の発光素子５０にも適用できる。
【００３０】
ここで、ダイボンド剤と称されるものは、例えば銀ペースト等の導電性接着剤などである。また、発光素子５０と貫通電極２１は、放熱性を考慮し、例えば銀、金錫合金、金、銅等の金属ナノ粒子を焼結させて、接合することで樹脂成分のない熱伝導性の高い接合となる。
【００３１】
図４は、本発明の第２実施形態に係る発光部品の上面図である。なお、図４はガラス板を接合する前の状態を示す図である。図４中の点線で囲まれた部分は、モールド部６０が形成される部分である。また、図４において横線で示された部分は、反射部材２０の傾斜面を示している。
【００３２】
本発明の第２実施形態に係る発光部品の製造方法を以下に示す。第１実施形態と発光素子搭載工程において、発光素子５０と貫通電極２１とを電気的に接続させる方法が異なる点以外は同様である。なお、第１実施形態と同様の工程については省略する。
【００３３】
第２実施形態では、発光素子工程において、発光素子５０が前記貫通電極２１のうち一方と接合する。さらに、発光素子５０がワイヤボンド４１により貫通電極２１のうち他方と電気的に接続する。また、この工程において、発光素子は一方の貫通電極とダイボンド剤を介して接合する。
【００３４】
（第３実施形態）
図５は本発明の第３実施形態に係る発光部品の断面図である。第２実施形態と異なる点は、第２実施形態の反射部材２０の凹部の底面を形成する部分を第１の金属基板３１および第２の金属基板３２で形成し、傾斜面を形成する部分およびガラス板７０と接合する面を第２実施形態と同様の無機材料からなる反射部材２０で形成している点である。なお、本実施形態においても、ガラス板７０は、無機材料からなる反射部材２０上で接合されている。そのため、第１実施形態および第２実施形態と同様に、吸湿性、透湿性、透ガス性のない構造となり、耐環境性が格段に向上する信頼性の高い発光部品を提供することができる。
【００３５】
以下に第３実施形態の詳細な説明を記載する。
本実施形態の発光部品１は、第１の金属基板３１と、第１の金属基板と同一平面上に形成された第２の金属基板３２と、第１の金属基板３１と第２の金属基板３２とを電気的に絶縁する絶縁部材３３と、開口端から第１の金属基板３１及び第２の金属基板３２側に向かって狭まる傾斜面を有する貫通孔を内側に備える無機材料からなる反射部材３３と、第１の金属基板３１に搭載された発光素子５０と、発光素子５０と接続するとともに、第２の金属基板に接続するワイヤボンド４１と、発光素子を覆うモールド部６０と、反射部材の貫通孔の開口端側の面に接合されたガラス板７０と、を備えている。
【００３６】
第１の金属基板３１および第２の金属基板３２は互いに絶縁されており、２つの金属基板３１間には絶縁部材３３がある。これにより、各金属基板を外部電極とすることができる。また、各金属基板の材質は、アルミニウム、金、銀、銅等である。また、各金属基板の厚みは、放熱性、構造上の強度、製造しやすさ、等を考慮すると１０μｍから１００μｍが適当である。さらに、金属基板３１の材質が銅である場合には、腐食を抑えるために、金めっきや、Ｓｎめっき等の防錆処理をしてもよい。また、各金属基板は１つの金属基板を分割して形成することも可能である。
【００３７】
絶縁部材３３の材料は反射部材２０と同じ材料とすることができる。また、必要に応じて、発光素子の搭載面側に、反射部材の傾斜面に形成した反射膜を形成してもよい。また、絶縁部材３３は、モールド部６０と同一の材料で形成することもできる。
【００３８】
発光素子５０は、第１の金属基板３１とダイボンド剤によって接合されている。
反射部材２０を各金属基板に設置する方法として、反射部材２０の材質がガラスである場合には、各金属基板の表面に、例えば１０００Åから５０００Åのシリコンの薄膜を形成し、陽極接合法により、接合することも可能である。ただし、各金属基板がアルミニウムで形成されている場合は、上記薄膜を形成せずに陽極接合することができる。また、反射部材２０の材質がセラミックスである場合には、例えば銀ろうを用いて、ろう付けすることも可能である。
【００３９】
図６は、本発明の第３実施形態に係る発光部品の上面図である。なお、図６はガラス板を接合する前の状態を示す図である。図６中の点線で囲まれた部分は、モールド部６０が形成される部分である。また、図６において横線で示された部分は、反射部材２０の傾斜面を示している。また、縦線で示された部分は、第１の金属基板３１および第２の金属基板３２であり、その間には絶縁部材３３が形成されている。
【００４０】
本発明の第３実施形態に係る発光部品の製造方法を以下に示す。なお、モールド部形成工程およびガラス板接合工程は、第１実施形態および第２実施形態と同様であるため、説明を省略する。
【００４１】
本実施形態では、発光素子搭載工程において、まず、開口端側が広い、すなわち開口端から各金属基板側に向かって狭まる傾斜面を有する貫通孔を内側に形成された無機材料からなる反射部材２０が設置された第１の金属基板３１上に発光素子を搭載する。さらに、第１の金属基板３１と同一平面に形成されるとともに第１の金属基板３１と絶縁部材３３により電気的に絶縁され、反射部材が設置された第２の金属基板３２と発光素子５０とをワイヤボンド４１により電気的に接続する。
【００４２】
この工程において、各金属基板は１つの金属基板を分割して形成することが可能である。また、発光素子は第１の金属基板３１と第２実施形態と同様なダイボンド剤を介して接合することができる。
【００４３】
また、反射部材２０がガラスからなる場合、発光素子搭載工程の前に、第１の金属基板３１上および第２の金属基板３２上に反射部材２０を設置し、反射部材２０の内側に熱プレス成形によって開口端から底面に向かって狭まる傾斜面を有する貫通孔を形成することができる。さらに、この場合、絶縁部材３３は、熱プレス成形によって第１の金属基板３１と第２の金属基板３２との間に押し出された反射部材２０を構成する無機材料により形成することが可能である。
【００４４】
このような構造にすると、耐環境性が良く、更に、放熱性の良い構造になるため、更に発光部品１の信頼性を向上させることができる。
【００４５】
本発明の発光部品は、例えば照明器具や、電光掲示板、車のヘッドライトなどの発光器などに用いることができる。本発明の発光部品は、光源として、試料などの検査対象に光を透過、又は反射させることによって対象物を観察、検査する検査装置に用いることができる。検査装置としては、例えば、偽札鑑定装置、金属の表面の微細な傷や欠陥を見つける画像処理機器、更には、医療、バイオ分野において組織やＤＮＡといった微小化学物質の検知用装置、樹脂硬化装置などに用いることができる。
【符号の説明】
【００４６】
１  発光部品
２０  反射部材
２１  貫通電極
３０  外部電極
３１、３２  金属基板
３３  絶縁部材
４０  バンプ
４１  ワイヤボンド
５０  発光素子
６０  モールド部
７０  ガラス板
１００  発光ダイオード
２００  ＭＩＤ基板
３００  導電パターン
４００  バンプ
５００  発光ダイオード素子
６００  アンダーフィル樹脂
７００  透明封止板
【図１】
2011192845.tif 000003
【図２】
2011192845.tif 000004
【図３】
2011192845.tif 000005
【図４】
2011192845.tif 000006
【図５】
2011192845.tif 000007
【図６】
2011192845.tif 000008
【図７】
2011192845.tif 000009